(57)【要約】【課題】複数のユニットを組み合わせることでバリエーションに富んだ機能を有するシステムを建物内の設置場所の制限を受けずに設置可能となることを目的とする。【解決手段】内部にファン７を有し、ファン７による送風の吹出口５および吸込口６を備えたファンユニット１と、内部に熱交換器８を備えた熱交換気ユニット２と、内部に空気清浄のためのフィルター９を有したフィルターユニット３と、ファンユニット１を制御する制御ユニット４のうち、ファンユニット１とその他の少なくとも１つのユニットとを組み合わせ、各ユニット間を連結接続して形態自在に一体化する構成の複合ユニットシステムとすることにより、バリエーションに富んだ機能を有するシステムが建物内の設置場所の制限を受けずに設置可能となる。【選択図】図２
2005188885.tif 000002
【特許請求の範囲】
【請求項１】
内部にファンを有し、前記ファンによる送風の吹出口および吸込口を備えたファンユニットと、内部に熱交換器を備えた熱交換気ユニットと、内部に空気清浄のためのフィルターを有したフィルターユニットと、前記ファンユニットを制御する制御ユニットのうち、前記ファンユニットとその他の少なくとも１つのユニットとを組み合わせ、各ユニット間を連結接続して形態自在に一体化することを特徴とする複合ユニットシステム。
【請求項２】
内部にファンを有し、前記ファンによる送風の吹出口および吸込口を備えたファンユニットと、内部に熱交換器を備えた熱交換気ユニットと、内部に空気清浄のためのフィルターを有したフィルターユニットと、前記ファンユニットを制御する制御ユニットのうち、前記ファンユニットとその他の少なくとも１つのユニットとを組み合わせ、各ユニット同士を連接して直接接続することを特徴とする複合ユニットシステム。
【請求項３】
内部にファンを有し、前記ファンによる送風の吹出口および吸込口を備えたファンユニットと、内部に熱交換器を備えた熱交換気ユニットと、内部に空気清浄のためのフィルターを有したフィルターユニットと、前記ファンユニットを制御する制御ユニットのうち、前記ファンユニットとその他の少なくとも１つのユニットとを組み合わせ、各ユニットを分離させて接続部材を介して接続することを特徴とする複合ユニットシステム。
【請求項４】
前記接続部材としてダクトを用いることを特徴とする請求項３に記載の複合ユニットシステム。
【請求項５】
内部にファンを有し、前記ファンによる送風の吹出口および吸込口を備えたファンユニットと、内部に熱交換器を備えた熱交換気ユニットと、内部に空気清浄のためのフィルターを有したフィルターユニットと、前記ファンユニットを制御する制御ユニットのうち、前記ファンユニットとその他の少なくとも１つのユニットとを組み合わせ、各ユニットを連接して直接接続するか、または分離させて接続部材を介して接続するかを選択自在としたことを特徴とする複合ユニットシステム。
【請求項６】
ファンユニット、熱交換気ユニット、フィルターユニット、および制御ユニットの各ユニットは、他のユニットと接続するための少なくとも１つの接続部を備えることを特徴とする請求項１〜５のいずれかに記載の複合ユニットシステム。
【請求項７】
前記接続部は同一サイズであることを特徴とする請求項６に記載の複合ユニットシステム。
【請求項８】
前記各ユニットは略同一サイズの箱体内に収納することを特徴とする請求項１〜７のいずれかに記載の複合ユニットシステム。
【請求項９】
ファンユニットにはＤＣモータを搭載し、制御ユニットのマイコンのソフトウェア変更により、前記ＤＣモータの制御出力を可変することを特徴とする請求項１〜８のいずれかに記載の複合ユニットシステム。
【請求項１０】
空調するための冷暖房ユニットまたは除加湿ユニットを連結して接続することを特徴とする請求項１〜９のいずれかに記載の複合ユニットシステム。
【発明の詳細な説明】
【技術分野】
【０００１】
本発明は、建物に据えつけられ、送風、熱交換気、または空気清浄の機能を有する各ユニットを組み合わせることにより複数の機能を併せ持った複合ユニットシステムに関する。
【背景技術】
【０００２】
従来の複合ユニットシステムとしては、ビルなどの空調において、複数のユニットを箱体に同一方向から挿入設置して一体化するものが知られている（例えば、特許文献１参照）。
【０００３】
さらに、熱交換器を含んだ基本ユニットに、電気集塵機ユニットの他複数のユニットを直列に連結可能にすることで、機能変化によるユニットの増減にもかかわらず、設置場所を１箇所に集約できるものも知られている。
【特許文献１】特開平６−２１３４９２号公報
【発明の開示】
【発明が解決しようとする課題】
【０００４】
しかしながら、この種の複合ユニットシステムでは、建物内に設置する場合、個々の建物で異なる建築工法、多種多様な間取りにより、天井裏のふところ高さ、梁などの構造物の配置、小屋裏などの広さに左右され、各ユニットをあらかじめ設定された箱体内に挿入設置して１箇所に集めて設置するための場所の確保に苦慮するという課題があった。その難しさは、そのシステムに対して求められる機能が多く、数多くのユニットが連結された高機能複合ユニットシステムであるほど増すことになる。
【０００５】
本発明は、以上のような課題を解決するもので、建物内の設置場所の制限を受けない複合ユニットシステムを提供するものである。
【０００６】
また本発明の他の目的は、各ユニットを連結して直接接続させた場合と、分離して接続させた場合に生じる必要空気搬送能力の違いにも、柔軟に対応できる制御ユニットを提供するものである。
【課題を解決するための手段】
【０００７】
上記課題を解決するために、本発明の複合ユニットシステムは、内部にファンを有し、前記ファンによる送風の吹出口および吸込口を備えたファンユニットと、内部に熱交換器を備えた熱交換気ユニットと、内部に空気清浄のためのフィルターを有したフィルターユニットと、前記ファンユニットを制御する制御ユニットのうち、前記ファンユニットとその他の少なくとも１つのユニットとを組み合わせ、各ユニット間を連結接続して形態自在に一体化するものである。
【０００８】
この手段により、複数のユニットを組み合わせることでバリエーションに富んだ機能を有するシステムを建物内の設置場所の制限を受けずに設置することができる複合ユニットシステムが得られる。
【０００９】
また、他の構成は、内部にファンを有し、前記ファンによる送風の吹出口および吸込口を備えたファンユニットと、内部に熱交換器を備えた熱交換気ユニットと、内部に空気清浄のためのフィルターを有したフィルターユニットと、前記ファンユニットを制御する制御ユニットのうち、前記ファンユニットとその他の少なくとも１つのユニットとを組み合わせ、各ユニット同士を連接して直接接続するものである。
【００１０】
この手段により、当該複合ユニットシステムを設置するのに必要なスペースを小さくすることができる複合ユニットシステムが得られる。
【００１１】
また、他の構成は、内部にファンを有し、前記ファンによる送風の吹出口および吸込口を備えたファンユニットと、内部に熱交換器を備えた熱交換気ユニットと、内部に空気清浄のためのフィルターを有したフィルターユニットと、前記ファンユニットを制御する制御ユニットのうち、前記ファンユニットとその他の少なくとも１つのユニットとを組み合わせ、各ユニットを分離させて接続部材を介して接続するものである。
【００１２】
この手段により、各ユニットを分離設置することにより、間取や構造物の配置に左右されず、接続できるユニットを増やせるので、高機能のシステムを構築することができ、建物内の設置場所の制限を受けない複合ユニットシステムが得られる。
【００１３】
また、他の構成は、内部にファンを有し、前記ファンによる送風の吹出口および吸込口を備えたファンユニットと、内部に熱交換器を備えた熱交換気ユニットと、内部に空気清浄のためのフィルターを有したフィルターユニットと、前記ファンユニットを制御する制御ユニットのうち、前記ファンユニットとその他の少なくとも１つのユニットとを組み合わせ、各ユニットを連接して直接接続するか、または分離させて接続部材を介して接続するかを選択自在としたものである。
【００１４】
この手段により、本発明の複合ユニットシステムを設置する建物の建築構造、設置スペースなどがどのようなものであってもそれらに対応できる施工ができるとともに、システムの機能の追加や取替えに柔軟に対応することができる複合ユニットシステムが得られる。
【００１５】
また、他の構成は、ファンユニット、熱交換気ユニット、フィルターユニット、および制御ユニットの各ユニットは、他のユニットと接続するための少なくとも１つの接続部を備えるものである。
【００１６】
この手段により、各ユニットの設置方向が多彩に変えられ、様々な設置条件に対応できる複合ユニットシステムが構成可能となる。
【００１７】
また、他の構成は、前記接続部は同一サイズに形成したものである。
【００１８】
この手段により、各ユニットの互換性が増し、様々な機能、能力、仕様の複合ユニットシステムが構成できる。
【００１９】
また、他の手段は、前記各ユニットは略同一サイズの箱体内に収納するものである。
【００２０】
この手段により、各ユニットが収納される箱体の寸法を共通化することで、各ユニットをモジュール単位で構成することができる複合ユニットシステムが得られる。また、メンテナンスのための点検口の大きさを共通化することができる複合ユニットシステムが得られる。
【００２１】
また、他の構成は、前記ファンユニットにはＤＣモータを搭載し、制御ユニットのマイコンのソフトウェア変更により、前記ＤＣモータの制御出力を可変するものである。
【００２２】
この手段により、複合ユニットシステムの換気・送風風量をシステムの機能を発揮するために最適な風量に調整できる複合ユニットシステムが得られる。
【００２３】
また、他の構成は、前記複合ユニットシステムに、空調するための冷暖房ユニットまたは除加湿ユニットを連結して接続するものである。
【００２４】
この手段により、建物内の設置場所の制限を受けない高機能の複合ユニットシステムが得られる。
【発明の効果】
【００２５】
本発明の複合ユニットシステムは、複数のユニットを組み合わせることでバリエーションに富んだ機能を有するシステムを建物内の設置場所の制限を受けずに設置することができる。
【発明を実施するための最良の形態】
【００２６】
本発明の請求項１記載の発明は、内部にファンを有し、前記ファンによる送風の吹出口および吸込口を備えたファンユニットと、内部に熱交換器を備えた熱交換気ユニットと、内部に空気清浄のためのフィルターを有したフィルターユニットと、前記ファンユニットを制御する制御ユニットのうち、前記ファンユニットとその他の少なくとも１つのユニットとを組み合わせ、各ユニット間を連結接続して形態自在に一体化することを特徴とする
複合ユニットシステムであり、各ユニットを連結接続するときに、例えば、直線形、コの字形、Ｌ字形、湾曲形などのさまざまな形態にコンパクトに構成するので、当該複合ユニットシステムを設置できる建物のスペースの形に合わせることができ、建物内の設置場所の制限を受けない複合ユニットシステムを提供することができる。
【００２７】
また、請求項２記載の発明は、内部にファンを有し、前記ファンによる送風の吹出口および吸込口を備えたファンユニットと、内部に熱交換器を備えた熱交換気ユニットと、内部に空気清浄のためのフィルターを有したフィルターユニットと、前記ファンユニットを制御する制御ユニットのうち、前記ファンユニットとその他の少なくとも１つのユニットとを組み合わせ、各ユニット同士を連接して直接接続することを特徴とする複合ユニットシステムであり、各ユニットの集まりがひとつの塊として複合ユニットシステムを構成するので、当該複合ユニットシステムを設置するのに必要なスペースを小さくすることができるという作用を有する。
【００２８】
また、請求項３記載の発明は、内部にファンを有し、前記ファンによる送風の吹出口および吸込口を備えたファンユニットと、内部に熱交換器を備えた熱交換気ユニットと、内部に空気清浄のためのフィルターを有したフィルターユニットと、前記ファンユニットを制御する制御ユニットのうち、前記ファンユニットとその他の少なくとも１つのユニットとを組み合わせ、各ユニットを分離させて接続部材を介して接続することを特徴とする複合ユニットシステムであり、建物内の空スペースを活用して各ユニットの設置が可能となるので、建物内の設置場所の制限を受けないという作用を有する。
【００２９】
また、請求項４記載の発明は、請求項３に記載の複合ユニットに、前記接続部材としてダクトを用いるものであり、各ユニットを建物内の離れた場所に自在に設置することができ、また、メンテナンス頻度の多いフィルターユニットなどを意図的に常に手の届く位置に配置することもできる。
【００３０】
また、請求項５記載の発明は、内部にファンを有し、前記ファンによる送風の吹出口および吸込口を備えたファンユニットと、内部に熱交換器を備えた熱交換気ユニットと、内部に空気清浄のためのフィルターを有したフィルターユニットと、前記ファンユニットを制御する制御ユニットのうち、前記ファンユニットとその他の少なくとも１つのユニットとを組み合わせ、各ユニットを連接して直接接続するか、または分離させて接続部材を介して接続するかを選択自在としたことを特徴とする複合ユニットシステムであり、複合ユニットシステムを設置する建物の建築構造、設置スペースなどがどのようなものであってもそれらに対応できる施工ができるとともに、システムの機能の追加や取替えに柔軟に対応することができる。
【００３１】
また、請求項６記載の発明は、請求項１〜５のいずれかに記載の複合ユニットシステムに、ファンユニット、熱交換気ユニット、フィルターユニット、および制御ユニットの各ユニットは、他のユニットと接続するための少なくとも１つの接続部を備えることにより、各ユニットを連結接続するときの各ユニットの設置方向が設定自在となるので、例えば、直線形、コの字形、Ｌ字形、湾曲形などのさまざまな形態に構成したり、システムの形態を平面的形状、または立体的形状に構成できるため、建物内の設置場所の制限を受けない施工が行えるという作用を有する。
【００３２】
また、請求項７記載の発明は、請求項６に記載の複合ユニットシステムに、前記接続部は同一サイズであることにより、各ユニット間を連結するための接続部が同一サイズであるので、どのような機能をもつユニットでも組み合わせて連結させることができたり、各ユニットを形成する枠体を共通化することができるという作用を有する。
【００３３】
また、請求項８記載の発明は、請求項１〜７のいずれかに記載の複合ユニットシステムに、前記各ユニットは略同一サイズの箱体内に収納することにより、各ユニットが収納される箱体の寸法を共通化することで、各ユニットをモジュール単位で構成することができる複合ユニットシステムを提供することができる。また、メンテナンスのための点検口の大きさを共通化することができるという作用を有する。
【００３４】
また、請求項９記載の発明は、請求項１〜８のいずれかに記載の複合ユニットシステムに、ファンユニットにはＤＣモータを搭載し、制御ユニットのマイコンのソフトウェア変更により、前記ＤＣモータの制御出力を可変することにより、連結接続される各ユニットの空気圧力損失や、ダクト長さ、ダクトの曲がり回数など接続部材の圧力損失により左右される風量を、設置される建物に必要とされる換気ならびに空調風量に調整できるという作用を有する。
【００３５】
また、請求項１０記載の発明は、請求項１〜９のいずれかに記載の複合ユニットシステムに、空調するための冷暖房ユニットまたは除加湿ユニットを連結して接続することにより、建物内の設置場所の制限を受けない高機能の複合ユニットシステムを得られる。
【００３６】
以下、本発明の実施の形態について、図面を参照しながら説明する。
【００３７】
（実施の形態１）
図１および図２は、本発明の一例を示す複合ユニットシステムを示す。
【００３８】
本発明の複合ユニットシステムは、内部にファン７を有し、ファン７による送風の吹出口５および吸込口６を備えたファンユニット１と、内部に熱交換器８を備えた熱交換気ユニット２と、内部に空気清浄のためのフィルター９を有したフィルターユニット３と、ファンユニット１を制御する制御ユニット４のうち、ファンユニット１とその他の少なくとも１つのユニットとを組み合わせ、各ユニット間を連結接続して形態自在に一体化するものである。また、各ユニット同士を連接させて直接接続している。
【００３９】
また、各ユニットを分離させて接続部材を介して接続する構成としてもよい。接続部材の一例としてはダクトが用いられる。
【００４０】
これらの構成により、各ユニットの後付けが容易に行えるので、使用者の要望に合わせて、既存のシステムの機能付加、性能向上、または、故障および修理時のユニット交換が可能となる。
【００４１】
また、各ユニットを連接して直接接続するか、または分離させて接続部材を介して接続するかを選択自在としたことも特徴としている。
【００４２】
また、ファンユニット１、熱交換気ユニット２、フィルターユニット３、および制御ユニット４の各ユニットは、他のユニットと接続するための少なくとも１つの接続部を備えている。つまり、各ユニットを構成する箱体の側面に１個以上の接続部が形成されていて、接続が設けてあるどの側面を用いてもユニット同士を直接接続、または接続部材を介して接続することが可能である。
【００４３】
また、接続部を同一サイズで構成した場合は、接続部材が共通化できたり、また各ユニットが直接接続可能となる。
【００４４】
また、各ユニットを略同一サイズの箱体内に収納した場合は、各ユニットが収納される箱体の寸法を共通化することでき、各ユニットをモジュール単位で構成することができる。また、メンテナンスのための点検口の大きさを共通化することもできる。
【００４５】
次に、図１および図２をもとに各部の構成を説明する。
【００４６】
なお、図２に示す熱交換器ユニット２および排気ファンユニット１１は内部構成が見えるように説明の便宜上、その天面を開放した状態で表している。
【００４７】
熱交換気ユニット２は、室外からの空気と室内からの排気を熱交換させる熱交換器８を有し、側面４箇所には、他のユニットと風路を形成するための連結開口１１が設けられている。ファンユニット１は、ファン７とＤＣモーター１０を有し、吸いこんだ空気を送り出す吹出口５とこの吹出口５と異なる面に空気を吸いこむ吸込口６が設けられている。フィルターユニット３は、空気清浄のためのフィルター９を内部に有し、他のユニットと連結するための開口部が設けられている。制御ユニット４は、ファンユニット１と電気的に接続されてファンユニット１運転を制御するものである。
【００４８】
図２に示すように、熱交換気ユニット２が有する連結開口１５ａに排気ファンユニット１１の吹出口５を直接接続し、隣合せの連結開口１５ｂに給気ファンユニット１２の吸込口６を直接接続する。そして、排気ファンユニット１１の吸込口６には排気フィルターユニット１３を直接連結し、連結開口１５ｂと対角側に形成される連結開口１５ｃに給気フィルターユニット１４を直接接続する。残った連結開口１５ｄと給気フィルターユニット１４、給気ファンユニット１２の吹出口５、および排気フィルターユニット１３には、取付フランジを有したダクトアダプター１２を介して、ダクト１７を接続する。
【００４９】
上記構成において、室内空気がＲＡ側から排気フイルターユニット１３を介して排気ファンユニット１１により熱交換気ユニット２に流入する。一方、室外空気は、ＯＡ側から給気ファンユニット１２により吸込まれ、給気フィルターユニット１４を介して熱交換気ユニット２に流入する。それぞれ熱交換気ユニット２に流入した室内空気と室外空気は、熱交換気ユニット２内の熱交換器８により熱交換され、室内空気はＥＡ側に排出され、室外空気はＳＡ側より室内に供給される。ここで、各ユニットの連結開口部は同一サイズとなっているので、開口サイズに対応したダクトアダプター１６を空気の流れの入口側、出口側に双方に取り付けることにより、各ユニットはダクトアダプター１６を介してダクト１７で連結され、直接接続と同様の風路を形成でき、同様の熱交換気を行うことができる。
【００５０】
なお、ダクトアダプター１６は、丸ダクトのようにφ１００、φ１５０といったダクト径や丸ダクト、角ダクトといったダクト形状にあわせて、専用部材に変更すればよい。各ユニットがダクトと接続可能になることにより、例えば、排気フィルターユニット１２のみを離れた場所に設置することも可能となる。また、接続部を同一サイズとするか、または各ユニットを収納する箱体を略同一サイズすることにより、排気ファンユニット１１と給気ファンユニット１２を同じユニットを使用したり、排気フィルターユニット１３と給気フイルターユニット１４を同じユニットを使用したりすることも可能となる。
【００５１】
なお、フィルターユニット３は、空気清浄機能をもつユニットして、粗塵フィルター、ＨＥＰＡなど高集塵効率形式のものや、Ｎｏｘ、抗ウイルスの集塵形式のもの、電気集塵形式のものなどが用いられる。
【００５２】
また、図３に示すように、ファンユニット１の側面に吸込口２０、２１、２２を設けることにより、３方向のいずれかに吸込み方向を変更自在となり、ユニットの設置の自由度が増すことになる。例えば、吸込口２２を使用しないときは、止め板２３によりふさげばよい。
【００５３】
次に、図４にファンユニット１と制御ユニット４の接続模式図を示す。ファンユニット１にはＤＣモータ１０を搭載し、制御ユニット４のマイコン４ｂのソフトウェア変更により、ＤＣモータ１０の制御出力を可変する構成とする。制御ユニット４は、モーター駆動基板４ａと電源端子４ｅを有しており、モーター駆動基板４ａには、マイコン４ｂ、モーター接続端子４ｃ、および外部接続端子４ｄが設けてある。ファンユニット１内のＤＣモーター１０は、モーターリード線２５により、モーター接続端子４ｃに接続され、電源端子４ｅには電源が接続される。そして、マイコン４ｂに記憶されたＤＣモーター出力パラメータにより、モーター出力が制御され所定の回転数でファン７が回転し送風が行われる。
【００５４】
ここで、外部接続端子４ｄとパソコン２７を接続コード２６で接続することにより、パソコン２７のソフトウエア上でＤＣモーター出力パラメータを変更することができる。このことにより、例えば、各ユニットをダクト１７を介して接続し、建物に実際に設置した後、風量測定し、風量が必要風量に満たない場合は、ＤＣモーター出力パラメータをパソコン２７のソフトウエア上で変更し、必要風量となるように合わせることができ、種々の設置条件に柔軟に対応することが可能となる。本実施例では、モーター駆動基板４ａ上のマイコン４ｂを直接書き換えた例を示したが、これとは別にマイコン４ｂを着脱可能な構成とし、数種類のマイコンから所定の風量が得られるものに交換可能な構成としても同様の効果を得られる。
【００５５】
（実施の形態２）
本発明の複合ユニットシステムは、内部にファン７を有し、ファン７による送風の吹出口５および吸込口６を備えたファンユニット１と、内部に熱交換器８を備えた熱交換気ユニット２と、内部に空気清浄のためのフィルター９を有したフィルターユニット３と、ファンユニット１を制御する制御ユニット４のうち、ファンユニット１とその他の少なくとも１つのユニットとを組み合わせ、各ユニットを分離させて接続部材を介して接続するものである。さらに、空調するための冷暖房ユニット３１、または除加湿ユニットを連結して接続する構成とする。
【００５６】
図５に、図２に示した複合ユニットシステムに加え、冷暖房機能を付加したシステムを示す。給気ファンユニット１２は、図３で示すように側面にも吸込口２２を設け、内部に冷温水熱交換器３２を有する冷暖房ユニット３１と接続可能に構成する。冷暖房ユニット３１は、冷温水熱源３３と冷温水配管３４を介して接続され、冷温水熱源３３より冷温水を供給、循環させることにより冷暖房する。冷暖房ユニット３１の連結開口３５ｂは、ダクトアダプター１６を介してダクト１７に接続され、換気用と別経路より室内空気を吸込み、冷暖房してＳＡ側より室内に供給することができる。冷温水熱源３３の具体的方式は、チラー、ボイラー、電気温水器などその熱源発生方式や水、冷媒といった熱源媒体は問わない。なお、図５に示す熱交換器ユニット２、冷暖房ユニット３１、および排気ファンユニット１１は内部構成が見えるように説明の便宜上、その天面を開放した状態で表している。
【００５７】
次に、図６に各ユニットを建物にダクト接続にて配置した状態の複合ユニットシステムを示す。
【００５８】
壁内５０には、２階に熱交換気ユニット２およびフィルターユニット３を配置し、１階には冷暖房ユニット３１を配置している。小屋裏５２には、ファンユニット１と各居室に風を分配する多分岐チャンバー４２が設置され、各階天井裏５５には、給気流、排気流の分岐および合流を構成する二分岐チャンバー４１が配設されている。それぞれの空間に設置された各ユニットは、すべてダクト１７により接続されている。
【００５９】
上記構成において、ファンユニット１を駆動することにより、壁面に設置された室外吸気口５１から取り入れられた空気は、フィルターユニット３にて浄化され、熱交換気ユニット２を経由して、ファンユニット１から吹き出され、多分岐チャンバー４２および二分岐チャンバー４１により各居室５４ａ、５４ｂ、５４ｃ、５４ｄに供給される。一方、各居室５４ａ、５４ｂ、５４ｃ、５４ｄからの戻り空気は、二分岐チャンバー４１により合流して回収され、冷暖房ユニット３１に至る。冷暖房ユニット３１では冷温水熱源３３より送られた冷温水により、空気を冷やしあるいは暖めて、ファンユニット１にもどり、換気と冷暖房を行う給排気と循環の風路を形成している。
【００６０】
近年の住宅では、天井断熱等により、吹きぬけ５３などをロフトスペースとして活用することも多く、その結果、従来空調機器をまとめて設置していた小屋裏５２が狭くなる場合も少なくない。本実施例は図に示すように、空調機器のうち、熱交換気ユニット２とフィルターユニット３を壁内５０に設置し、ダクト接続することにより、小屋裏５２の限られたスペースにはファンユニット１と多分岐チャンバー４２のみの設置が可能になる。また、壁内５０に熱交換気ユニット２とフィルターユニット３を設置することにより、壁面の点検口から被メンテナンス部品であるフィルター９や熱交換器８を容易に取り出すことができる。換気系統のメンテナンス頻度の多い部品の多くは、従来、天井面などで脚立の使用や上を向きながらの作業で、かなり作業者に負担をかけていたが、このように壁面からの取り出しが実現できることにより、メンテナンス作業の軽減が図れる。
【００６１】
また、図に示すとおり、冷暖房ユニット３１を離れた位置に設置できるようにしたので、冷温水熱源３３と隣接して、冷温水配管３４を短くすることにより、冷温水循環時の熱ロスを軽減できたり、直接接続時に小屋裏５２や天井裏５５に設置していたものをサニタリーなどの水まわり空間や、屋外のように万が一水漏れした場合でも安心できる設置が可能となる。
【産業上の利用可能性】
【００６２】
本発明の複合ユニットシステムは、換気または空調の目的とする建物内に設置されるシステムであって、その機能の追加、削減、機器の取替えを必要とする複合設備機器として有用である。
【図面の簡単な説明】
【００６３】
【図１】本発明の実施の形態１の複合ユニットシステムの構成を示す平面図
【図２】同複合ユニットシステムの構成を示す分解斜視図
【図３】同複合ユニットシステムのファンユニットの構成を示す斜視図
【図４】同複合ユニットシステムのファンユニットと制御ユニットの接続を示す模式図
【図５】本発明の実施の形態２の複合ユニットシステムの構成を示す分解斜視図
【図６】同複合ユニットシステムの建物に設置した状態を示す断面図
【符号の説明】
【００６４】
１    ファンユニット
２    熱交換気ユニット
３    フィルターユニット
４    制御ユニット
４ｂ  マイコン
５    吹出口
６    吸込口
７    ファン
８    熱交換器
９    フィルター
１０  ＤＣモーター
１７  ダクト
３１  冷暖房ユニット
【図１】
2005188885.tif 000003
【図２】
2005188885.tif 000004
【図３】
2005188885.tif 000005
【図４】
2005188885.tif 000006
【図５】
2005188885.tif 000007
【図６】
2005188885.tif 000008